(57)【要約】【課題】デッキプレートの熱のラチス状屈曲鉄筋および上弦材への伝達を抑えることができる鋼製デッキユニットを提供する。【解決手段】鋼製デッキユニット１００は、デッキプレート１０と、取り付け治具２０と、鉄筋トラス３０と、を有し、デッキプレート１０は、傾斜面１５ａ等の谷底面１４ａ等に近い位置に突条１７ａ等および凹溝１８ａ等を具備し、鉄筋トラス３０は、一対のラチス材４０ａ等と、上弦材５０と、一対の下弦材６０ａ等とを具備し、取り付け治具２０は、一対の下弦材６０ａ等が係止する一対の治具切欠２５ａ等が形成された治具本体部２１と、治具本体部２１の下端に形成され、互いに離れる方向に突出した一対の治具脚部２７ａ等とを具備し、取り付け治具２０同士の長手方向の間隔が、ラチス材４０ａのラチス材下端４４ａ同士、ラチス材４０ｂのラチス材下端４４ｂ同士の長手方向の距離よりも広い。【選択図】図３
2014034789.tif 000002
【特許請求の範囲】
【請求項１】
構造物を形成する一方の梁と他方の梁とに長手方向の端部がそれぞれ設置される鋼製デッキユニットであって、
曲げ加工された板金によって形成されたデッキプレートと、該デッキプレートに設置された取り付け治具と、該取り付け治具に取り付けられた鉄筋トラスと、を有し、
前記デッキプレートは、山頂面と、該山頂面に平行な谷底面と、前記山頂面と前記谷底面とを連結する傾斜面とを具備する波状の断面であって、前記傾斜面の前記谷底面に近い位置に前記谷底面と平行に形成された突条と、該突条と前記谷底面との間に形成された凹溝とを具備し、
前記鉄筋トラスは、略鋸歯状に折り曲げられた線材である一対のラチス材と、該一対のラチス材のそれぞれの上端が接合されている上弦材と、前記一対のラチス材のそれぞれの下端が接合されている一対の下弦材とを具備し、
前記取り付け治具は、前記一対の下弦材のそれぞれが係止する一対の治具切欠が形成された治具本体部と、該治具本体部の下端に形成され、互いに離れる方向に突出した一対の治具脚部とを具備し、
前記取り付け治具の一対の治具脚部のそれぞれの先端部が、前記デッキプレートの凹溝のうちの互いに対向した一対の凹溝にそれぞれ侵入し、前記一対の凹溝によって前記一対の治具脚部が互いに近づく方向に把持され、
取り付け治具同士の長手方向の間隔が、前記ラチス材の下端同士の長手方向の距離よりも広いことを特徴とする鋼製デッキユニット。
【発明の詳細な説明】
【技術分野】
【０００１】
本発明は鋼製デッキユニット、特に、デッキプレートと鉄筋トラスとを有する鋼製デッキユニットに関する。
【背景技術】
【０００２】
従来、コンクリートスラブは、鋼板製のデッキプレートにコンクリートが打設されるものであって、コンクリート中には補強ないし補剛のための鉄筋が配設されている。すなわち、コンクリートスラブは構造物の一方の梁と他方の梁との間に設置されるものであって、一方の梁から他方の梁に向かう方向を「スパン方向」と称すると、デッキプレートには、スパン方向の山状部分とスパン方向の谷状部分（溝状部分）とが、スパン方向に垂直な方向で交互に形成され、谷状部分の底が狭くなった略コ字状の波形を呈し、一方、鉄筋は谷状部分にスパン方向と平行に配設されている。
そして、鉄筋の配設を容易にする目的で、所定位置に鉄筋が固定されている鉄筋配設体を設け、鉄筋配設体の下端に支承部を形成して、該支承部をデッキプレートの谷状部分に形成された凹条に係止させた上で、鉄筋配設体を敷き込む発明が開示されている（例えば、特許文献１参照）。
【先行技術文献】
【特許文献】
【０００３】
【特許文献１】実開平５−４２４３２号公報（第４−６頁、図１）
【発明の概要】
【発明が解決しようとする課題】
【０００４】
特許文献１に開示された考案は、デッキプレートが、山状部分の山頂面と谷状部分の谷底面とが平行（正確には、それぞれの面の凹凸部を除く平坦面同士が平行）で、山頂面と谷底面とを結ぶ傾斜面の谷底面に近い位置に、スパン方向の凹条が形成されている。また、主筋配設体（鉄筋配設体）は、一対のラチス状屈曲鉄筋（ジグザグに折り曲げられている）のそれぞれの全ての上端が上端筋に接合され、一対のラチス状屈曲鉄筋のそれぞれの下部に下端筋を配設したうえで、そのラチス状屈曲鉄筋のそれぞれの全部の下端が、互いに離れる方向に折り曲げられて支承部が形成されている。
そして、凹条に全ての支承部の先端が係止するものであるため、例えば、火災等が発生してデッキプレートが高温に晒された際、デッキプレートの熱が支承部を経由してラチス状屈曲鉄筋、下端筋および上弦材に容易に伝達される。このため、主筋配設体の強度が低下するおそれがあるという問題があった。
【０００５】
本発明は、前記問題を解決するものであって、デッキプレートが高温に晒されたとしても、デッキプレートの熱のラチス状屈曲鉄筋、下端筋および上端筋への伝達を抑え、主筋配設体の強度の低下を防止することができる鋼製デッキユニットを提供することを目的とする。
【課題を解決するための手段】
【０００６】
本発明に係る鋼製デッキユニットは、構造物を形成する一方の梁と他方の梁とに長手方向の端部がそれぞれ設置される鋼製デッキユニットであって、
曲げ加工された鋼板によって形成されたデッキプレートと、該デッキプレートに設置された取り付け治具と、該取り付け治具に取り付けられた鉄筋トラスと、を有し、
前記デッキプレートは、山頂面と、該山頂面に平行な谷底面と、前記山頂面と前記谷底面とを連結する傾斜面とを具備する波状の断面であって、前記傾斜面の前記谷底面に近い位置に前記谷底面と平行に形成された突条と、該突条と前記谷底面との間に形成された凹溝とを具備し、
前記鉄筋トラスは、略鋸歯状に折り曲げられた線材である一対のラチス材と、該一対のラチス材のそれぞれの上端が接合されている上弦材（「上端筋」に相当）と、前記一対のラチス材のそれぞれの下端が接合されている一対の下弦材（「下端筋」に相当）とを具備し、
前記取り付け治具は、前記一対の下弦材のそれぞれが係止する一対の治具切欠が形成された治具本体部と、該治具本体部の下端に形成され、互いに離れる方向に突出した一対の治具脚部とを具備し、
前記取り付け治具の一対の治具脚部のそれぞれの先端部が、前記デッキプレートの凹溝のうちの互いに対向した一対の凹溝にそれぞれ侵入し、前記一対の凹溝によって前記一対の治具脚部が互いに近づく方向に把持され、
取り付け治具同士の長手方向の間隔が、前記ラチス材の下端同士の長手方向の距離よりも広いことを特徴とする。
【発明の効果】
【０００７】
本発明に係る鋼製デッキユニットは、以下の効果を奏する。
すなわち、鉄筋トラスが取り付け治具を介してデッキプレートに設置されるから、鉄筋トラス（ラチス材の下端）が直接デッキプレートに接触することがない。また、ラチス材の下端同士の長手方向の距離よりも広い間隔を空けて、取り付け治具がデッキプレートに設置されるから、取り付け治具とデッキプレートとの接触個所の数が、ラチス材の下端を直接デッキプレートに設置した場合におけるラチス材の下端とデッキプレートとの接触個所の数に比較して、少なくなる。よって、デッキプレートから鉄筋トラスへの熱伝達が阻害されるため、デッキプレートが高温に晒された際でも、デッキプレートの熱がラチス材および上弦材に容易に伝達されないため、鉄筋トラスの強度を維持することができる。
【図面の簡単な説明】
【０００８】
【図１】本発明の実施の形態１に係る鋼製デッキユニットの全体を示す正面図。
【図２】図１に示す鋼製デッキユニットの全体を示す平面図。
【図３】図１に示す鋼製デッキユニットの全体を示す側面図。
【図４】図１に示す鋼製デッキユニットの一部（デッキプレート）を示す正面図。
【図５】図１に示す鋼製デッキユニットの一部（鉄筋トラス）を示す正面図と側面図。
【図６】図１に示す鋼製デッキユニットの一部（取り付け治具）を示す平面図、断面図（Ａ−Ａ断面）、断面図（Ｂ−Ｂ断面）および側面図。
【図７】図１に示す鋼製デッキユニットにおける取り付け治具のデッキプレートへの設置要領を示す平面図。
【図８】図１に示す鋼製デッキユニットにおける鉄筋トラスの取り付け治具への取り付け要領を示す斜視図。
【発明を実施するための形態】
【０００９】
［実施の形態１：鋼製デッキユニット］
図１〜図８は本発明の実施の形態１に係る鋼製デッキユニットを説明するものであって、図１は全体を示す正面図、図２は全体を示す平面図、図３は側面図、図４は一部（デッキプレート）を示す正面図、図５の（ａ）は一部（鉄筋トラス）を示す正面図、図５の（ｂ）は一部（鉄筋トラス）を示す側面図、図６の（ａ）、（ｂ）、（ｃ）および（ｄ）は一部（取り付け治具）を示す平面図、断面図（図６の（ａ）におけるＡ−Ａ断面）、断面図（図６の（ａ）におけるＢ−Ｂ断面）および側面図、図７（ａ）および（ｂ）は取り付け治具のデッキプレートへの設置要領を示す平面図、図８は鉄筋トラスの取り付け治具への取り付け要領を示す斜視図である。
なお、各図は模式的に示すものであって、誇張して描いた部分がある。
【００１０】
（鋼製デッキユニット）
図１〜図３において、鋼製デッキユニット１００は、構造物（図示しない）を形成する一方の梁９１と他方の梁９２とに長手方向（スパン方向に同じ）のユニット端部１０１、１０２がそれぞれ設置されるものである。鋼製デッキユニット１００は、曲げ加工された板金によって形成されたデッキプレート１０と、デッキプレート１０に設置された取り付け治具２０と、取り付け治具２０に取り付けられた鉄筋トラス３０と、を有している。
なお、鉄筋トラス３０がデッキプレート１０の長手方向の端部１１、１２から離れた範囲に配置され、鉄筋トラス３０の長さがデッキプレート１０の長さよりも短くなっているが、本発明はこれに限定するものではなく、鉄筋トラス３０の長さ（Ｔ）がデッキプレート１０の長さに同じであってもよい。
【００１１】
（デッキプレート）
図４において、デッキプレート１０は、それぞれスパン方向に形成された、山頂面１３ａ、１３ｂ（互いに同一面内に位置している）と、山頂面１３ａ、１３ｂに平行な谷底面１４ａ、１４ｂ、１４ｃと、山頂面１３ａと谷底面１４ａとを連結する傾斜面１５ａと、山頂面１３ａと谷底面１４ｂとを連結する傾斜面１５ｂと、山頂面１３ｂと谷底面１４ｂとを連結する傾斜面１５ｃと、山頂面１３ｂと谷底面１４ｃとを連結する傾斜面１５ｄと、を具備している。すなわち、正面視（スパン方向に垂直な断面に同じ）において、山頂面１３ａ、１３ｂに近い程、対向する傾斜面１５ｂと傾斜面１５ｃとの距離が拡大する略コ字状の波状のジグザク形状を呈している。
また、傾斜面１５ａ、１５ｂ、１５ｃ、１５ｄには、それぞれ複数の押圧加工により形成させたエンボス１９ａ、１９ｂ、１９ｃ、１９ｄ（図３にエンボス１９ｄのみを示す）が形成されている。
【００１２】
そして、谷底面１４ａの側縁（傾斜面１５ａの反対側）には、デッキプレート１０同士を接続するための係止部１６ａが形成され、谷底面１４ｃの側縁（傾斜面１５ｄの反対側）には、デッキプレート１０同士を接続するための係止部１６ｂが形成されている。
すなわち、一方のデッキプレート１０の係止部１６ａと他方のデッキプレート１０の係止部１６ｂとが互いに係合することによって、一方のデッキプレート１０の係止部１６ａと他方のデッキプレート１０とを接続することができる。
このとき、一方のデッキプレート１０の傾斜面１５ａおよび谷底面１４ａと、他方のデッキプレート１０の傾斜面１５ｄおよび谷底面１４ｃとによって、上方が広くなった空間（溝）が形成される。また、傾斜面１５ｂと谷底面１４ｂと傾斜面１５ｃとによって形成される上方が広くなった略コ字状の空間（溝）が形成される。
また、係止部１６ａは下方が開口した略Ｊ字状であり、係止部１６ｂは上方が開口した略Ｊ字状であるから、両者が係合した際、当該係合部から、デッキプレート１０上に打設されるコンクリート（図示しない）が流れ出すことがない。
【００１３】
さらに、傾斜面１５ａには谷底面１４ａに近い位置に谷底面１４ａと平行に突条１７ａが形成され、突条１７ａと谷底面１４ａとの間に凹溝１８ａが形成されている。同様に、傾斜面１５ｂには谷底面１４ｂに近い位置に谷底面１４ｂと平行に突条１７ｂが形成され、突条１７ｂと谷底面１４ｂとの間に凹溝１８ｂが形成され、傾斜面１５ｃには谷底面１４ｂに近い位置に谷底面１４ｂと平行に突条１７ｃが形成され、突条１７ｃと谷底面１４ｂとの間に凹溝１８ｃが形成され、傾斜面１５ｄには谷底面１４ｃに近い位置に谷底面１４ｃと平行に突条１７ｄが形成され、突条１７ｄと谷底面１４ｃとの間に凹溝１８ｄが形成されている。
【００１４】
（鉄筋トラス）
図５において、鉄筋トラス３０は、略鋸歯状（ジグザク）に折り曲げられた線材である一対のラチス材４０ａ、４０ｂと、一対のラチス材４０ａ、４０ｂのそれぞれの上端（折り曲げ部に同じ、以下「ラチス材上端」と称す）４３ａ、４３ｂが接合されている上弦材５０と、一方のラチス材４０ａの下端（折り曲げ部に同じ、以下「ラチス材下端」と称す）４４ａが接合されている下弦材６０ａと、他方のラチス材４０ｂの下端（折り曲げ部に同じ、以下「ラチス材下端」と称す）４４ｂが接合されている下弦材６０ｂとを具備し、正面視で略二等辺三角形を呈している。
なお、上弦材５０に、ラチス材４０ａのラチス材端部４１ａ、４２ａおよびラチス材４０ｂのラチス材端部４１ｂ、４２ｂが接続される場合、あるいは、下弦材６０ａにラチス材４０ａのラチス材端部４１ａ、４２ａおよび下弦材６０ｂにラチス材４０ｂのラチス材端部４１ｂ、４２ｂがそれぞれ接続される場合がある。なお、鉄筋トラス３０のラチス材下端４４ａ、４４ｂに、特許文献１の図２に開示されたような支承部が形成してあっても良い。鉄筋トラス３０は、その構造や形状においてそのバリエーションは包含される。
【００１５】
（取り付け治具）
図６において、取り付け治具２０は、治具天面２２および治具天面２２の両側縁から下方に延設された治具側面２３ａ、２３ｂから形成された断面略Ｕ字状の治具本体部２１と、治具側面２３ａ、２３ｂの下端から互いに離れる方向に突出した治具脚部２７ａ、２７ｂとを具備している。このとき、治具天面２２と治具側面２３ａ、２３ｂとの境界や、治具側面２３ａ、２３ｂと治具脚部２７ａ、２７ｂとの境界は、滑らかな略円弧によって繋がっているが、それぞれの範囲の位置関係を明瞭にするため、図６の（ａ）に実線を記載する。
【００１６】
治具側面２３ａ、２３ｂには、治具切欠２５ａ、２５ｂが形成され、治具切欠２５ａ、２５ｂの上方には治具切欠２５ａ、２５ｂに近づく程、側方への突出量が大きくなる側面上突起２４ａ、２４ｂと、治具切欠２５ａ、２５ｂの下方には治具切欠２５ａ、２５ｂに近づく程、側方への突出量が大きくなる側面下突起２６ａ、２６ｂとが形成されている。
このとき、側面上突起２４ａ、２４ｂの下端と側面下突起２６ａ、２６ｂの上端との間隔は、下弦材６０ｂが侵入自在な大きさになっている。
また、治具脚部２７ａ、２７ｂはそれぞれ治具側面２３ａ、２３ｂから互いに離れる方向に延設され、それぞれ治具側面２３ａ、２３ｂに平行な治具先端縁（先端に同じ）２８ａ、２８ｂと、治具側面２３ａ、２３ｂに対して所定の角度を具備する角盗み縁２９ａ、２９ｂとを具備する。
なお、治具切欠２５ａ、２５ｂはそれぞれ一対だけ形成されているが、本発明はこれに限定するものではなく、それぞれ１個所であってもそれぞれ３個所以上であってもよい。
【００１７】
（取り付け治具のデッキプレートへの設置要領）
図７の（ａ）において、取り付け治具２０の角盗み縁２９ａ、２９ｂが、デッキプレート１０の突条１７ｂ、１７ｃと平行になった状態で、取り付け治具２０の治具脚部２７ａ、２７ｂを、デッキプレート１０の谷底面１４ｂに押し付ける。すなわち、角盗み縁２９ａと角盗み縁２９ｂとの距離が、突条１７ｂと突条１７ｃとの距離よりも小さくなっている。
図７の（ｂ）において、治具脚部２７ａ、２７ｂをデッキプレート１０の谷底面１４ｂに押し付けたまま、取り付け治具２０を回転する。そうすると、取り付け治具２０の治具先端縁２８ａ、２８ｂは、それぞれ凹溝１８ｂ、１８ｃ内に侵入し、凹溝１８ｂ、１８ｃによって、治具脚部２７ａと治具脚部２７ｂ（治具先端縁２８ａと治具先端縁２８ｂに同じ）とが互いに近づく方向に把持され、かつ、突条１７ｂ、１７ｃによって下方に押し付けられる。すなわち、取り付け治具２０の回転初期は、治具先端縁２８ａと角盗み縁２９ａとの交差部、および治具先端縁２８ｂと角盗み縁２９ｂとの交差部が、それぞれ凹溝１８ｂおよび凹溝１８ｃに強く当接（摺動）して、治具側面２３ａ、２３ｂを弾性変形させ、さらに、取り付け治具２０の回転が進んだところで、治具先端縁２８ａ、２８ｂと凹溝１８ｂ、１８ｃとが平行になる。このとき、治具側面２３ａ、２３ｂの弾性変形量は減少するものの、弾性変形した状態であるから、前記のように、取り付け治具２０の治具先端縁２８ａ、２８ｂは、凹溝１８ｂ、１８ｃによって把持される。
したがって、取り付け治具２０は、簡単な操作によって、デッキプレート１０と確実に当接し、互いに力を受け渡すことができる状態になっている。
【００１８】
（鉄筋トラスの取り付け治具への取り付け要領）
図８において、デッキプレート１０（図示しない）に設置された状態の取り付け治具２０に鉄筋トラス３０が取り付けられている。
すなわち、鉄筋トラス３０の下弦材６０ａと下弦材６０ｂとの間隔を広くして、下弦材６０ａ、６０ｂが、取り付け治具２０の治具切欠２５ａ、２５ｂ（図示しない）に侵入して、下弦材６０ａと治具側面２３ａとが、下弦材６０ｂと治具側面２３ｂとが、それぞれ当接している。なお、鉄筋トラス３０の製作上の誤差等により、必ずしも当接されなくても良い。そして、すなわち、下弦材６０ａ、６０ｂの上側が側面上突起２４ａ、２４ｂ（図示しない）の下端によって支持され、下弦材６０ａ、６０ｂの下側が側面下突起２６ａ、２６ｂ（図示しない）に上端によって、支持されている。
すなわち、ラチス材４０ａ、４０ｂは弾性変形した状態で、治具側面２３ａと治具側面２３ｂとが互いに近づく方向に把持している。したがって、鉄筋トラス３０は、簡単な操作によって、取り付け治具２０と確実に当接し、デッキプレート１０との間で互いに力を受け渡すことができる状態になっている。
【００１９】
（取り付け治具）
以上のように、取り付け治具２０は、取り付け治具２０同士の長手方向の間隔（治具脚部２７ａ、２７ｂ同士の長手方向の間隔）が、ラチス材４０ａ，４０ｂの下端４４ａ、４４ｂ同士の長手方向の距離よりも広い。すなわち、一方の取り付け治具２０とこれに隣接する他方の取り付け治具２０との間に、ラチス材４０ａ，４０ｂの下端４４ａ、４４ｂが複数個配置されているから、ラチス材４０ａ，４０ｂの下端４４ａ、４４ｂの全てに、デッキプレート１０に当接する設置用脚を設けて、該設置用脚をデッキプレート１０に当接した場合に比較して、設置個所が減少する。
また、ラチス材４０ａ，４０ｂの下端４４ａ、４４ｂの全てに、デッキプレート１０に当接する設置用脚を設けて、該設置用脚をデッキプレート１０に当接した場合には、デッキプレート１０の熱が直接ラチス材に伝達されるのに対し、本発明では、鉄筋トラス３０は取り付け治具２０を介してデッキプレート１０に設置されるから、デッキプレート１０の熱が直接ラチス材に伝達されることがない。
なお、取り付け治具２０を形成する材料は限定されるものではなく、また、複数の材料によって形成されてもよい。例えば、局部的には、鉄筋よりも熱容量が大きい材料あるいは熱伝達係数の低い（熱が伝わり難い）材料によって取り付け治具２０を形成することにより、鉄筋（下弦材・上弦材）への熱伝達を妨げることができる。
さらに、取り付け治具２０の治具脚部２７ａ、２７ｂをフッ素樹脂等の金属より比熱の高いあるいは熱伝達係数の低い樹脂材料で被覆しても良い。
なお、場合によっては、取り付け治具２０そのものを合成樹脂材料（エンジニアプラスチックスなど）で成形しても良い。
よって、デッキプレート１０から鉄筋トラス３０への熱伝達が抑制されるため、デッキプレート１０が高温に晒された際でも、デッキプレート１０の熱がラチス材４０ａ，４０ｂおよび上弦材５０に容易に伝達されないため、鉄筋トラス３０の強度を維持することができる。
【産業上の利用可能性】
【００２０】
本発明は以上の構成であるから、デッキプレート１０から鉄筋トラス３０への熱伝達が抑制され、火災発生時等における鉄筋トラス３０の強度が維持されるため、各種建築構造物に設置される各種大きさや各種形態の鋼製デッキユニットとして広く利用することができる。
【符号の説明】
【００２１】
１０   デッキプレート
１１   端部
１２   端部
１３ａ 山頂面
１３ｂ 山頂面
１４ａ 谷底面
１４ｂ 谷底面
１４ｃ 谷底面
１５ａ 傾斜面
１５ｂ 傾斜面
１５ｃ 傾斜面
１５ｄ 傾斜面
１６ａ 係止部
１６ｂ 係止部
１７ａ 突条
１７ｂ 突条
１７ｃ 突条
１７ｄ 突条
１８ａ 凹溝
１８ｂ 凹溝
１８ｃ 凹溝
１８ｄ 凹溝
１９ｄ エンボス
２０   取り付け治具
２１   治具本体部
２２   治具天面
２３ａ 治具側面
２３ｂ 治具側面
２４ａ 側面上突起
２４ｂ 側面上突起
２５ａ 治具切欠
２５ｂ 治具切欠
２６ａ 側面下突起
２６ｂ 側面下突起
２７ａ 治具脚部
２７ｂ 治具脚部
２８ａ 治具先端縁
２８ｂ 治具先端縁
２９ａ 角盗み縁
２９ｂ 角盗み縁
３０   鉄筋トラス
４０ａ ラチス材
４０ｂ ラチス材
４１ａ ラチス材端部
４１ｂ ラチス材端部
４２ａ ラチス材端部
４２ｂ ラチス材端部
４３ａ ラチス材上端
４３ｂ ラチス材上端
４４ａ ラチス材下端
４４ｂ ラチス材下端
５０   上弦材
６０ａ 下弦材
６０ｂ 下弦材
９１   梁
９２   梁
１００  鋼製デッキユニット
１０１  ユニット端部
１０２  ユニット端部
【図１】
2014034789.tif 000003
【図２】
2014034789.tif 000004
【図３】
2014034789.tif 000005
【図４】
2014034789.tif 000006
【図５】
2014034789.tif 000007
【図６】
2014034789.tif 000008
【図７】
2014034789.tif 000009
【図８】
2014034789.tif 000010